(57)【要約】      （修正有）【課題】音楽の投稿、募集、視聴、応募を通じて、音と音および人と人をつなぐ音楽投稿プラットフォームを提供する。【解決手段】ユーザ端末により楽音が投稿される音楽投稿システムであって、入力された募集楽音を録音する録音手段と、募集楽音の投稿情報を作成する投稿作成手段と、募集楽音に同調した応募楽音が入力された場合、募集楽音と応募楽音とを合成録音する合成録音手段と、を有する。投稿作成手段は、募集楽音と合成録音された応募楽音を、募集楽音と関連付ける。【選択図】図１３
2020095168.tif 000002
【特許請求の範囲】
【請求項１】
ユーザ端末により楽音が投稿される音楽投稿装置であって、
入力された募集楽音を録音する録音手段と、
前記募集楽音の投稿情報を作成する投稿作成手段と、
前記募集楽音に同調した応募楽音が入力された場合、前記募集楽音と前記応募楽音とを合成録音する合成録音手段と、
を有し、
前記投稿作成手段は、前記募集楽音と合成録音された前記応募楽音を、前記募集楽音と関連付けること、
を特徴とする音楽投稿装置。
【請求項２】
前記募集楽音を入力したユーザ端末のユーザからの選択操作に応じて、前記応募楽音を入力したユーザ端末のユーザのうち、報酬を付与するユーザを選択する選択手段と、
を有し、
前記募集楽音の投稿情報は、前記報酬の情報を含むこと、
を特徴とする請求項１に記載の音楽投稿装置。
【請求項３】
前記募集楽音及び前記応募楽音は、多重演奏により構成される楽音のうち、それぞれが一パートを担う楽音であること、
を特徴とする請求項１又は２に記載の音楽投稿装置。
【請求項４】
前記募集楽音は、演奏音であり、
前記応募楽音は、前記演奏音に同調して演奏された演奏音又は歌唱された歌唱音であること、
を特徴とする請求項１ないし３何れか一項に記載の音楽投稿装置。
【請求項５】
前記募集楽音は、少なくとも歌唱音又は鼻歌音の何れかであり、
前記応募楽音は、前記歌唱音又は鼻歌音に同調して演奏された演奏音であること、
を特徴とする請求項１ないし３何れか一項に記載の音楽投稿装置。
【請求項６】
ユーザ端末のアプリケーションプログラムと、音楽投稿サーバ装置とを含む音楽投稿システムであって、
前記アプリケーションプログラムは、コンピュータを、
楽音を入力する入力手段と、
前記入力手段により入力された募集楽音を録音する録音手段と、
前記音楽投稿サーバ装置に前記録音手段により録音された募集楽音を投稿する投稿送信手段と、
前記音楽投稿サーバ装置から前記募集楽音を含む投稿情報を取得する投稿取得手段と、
前記投稿情報の中からユーザに選択された募集楽音を再生する再生手段と、
前記募集楽音に同調した応募楽音が入力された場合、前記募集楽音と前記応募楽音とを合成録音する合成録音手段と、
して機能させ、
前記投稿送信手段は、前記音楽投稿サーバ装置に、前記募集楽音と合成録音された前記応募楽音を、前記募集楽音と関連付けて投稿し、
前記音楽投稿サーバ装置は、
前記投稿送信手段により投稿された前記募集楽音と、前記募集楽音と合成録音された前記応募楽音とを受信する受信する受信手段と、
前記受信手段により受信された前記募集楽音を含む投稿情報を作成する投稿作成手段と、
を有し、
前記投稿作成手段は、前記受信手段により前記応募楽音が受信された場合、前記募集楽音と合成録音された前記応募楽音を、前記募集楽音と関連付けること、
を特徴とする音楽投稿システム。
【請求項７】
前記募集楽音及び前記応募楽音は、多重演奏により構成される楽音のうち、それぞれが一パートを担う楽音であること、
を特徴とする請求項６に記載の音楽投稿システム。
【請求項８】
前記募集楽音は、少なくとも歌唱音又は鼻歌音の何れかであり、
前記応募楽音は、前記歌唱音又は鼻歌音に同調して演奏された演奏音であること、
を特徴とする請求項６又は７に記載の音楽投稿システム。
【発明の詳細な説明】
【技術分野】
【０００１】
本発明は、音楽投稿装置及び音楽投稿システムに関する。
【背景技術】
【０００２】
近年、一般のユーザが作成した音楽動画又は音声を自由に投稿可能な音楽投稿サイトがよく知られている。例えば歌手やバンドなどのユーザが楽曲を歌唱したり演奏したりした音楽動画をサイト上に投稿することで、自らの音楽を他のユーザに広く知って貰うことができる。また、投稿された音楽動画を視聴した他のユーザは、その音楽動画に対して評価を付けたり、感想コメントを付けたりすることも可能である。
【０００３】
ここで、音楽（楽曲）というものは一人で完成させるのは必ずしも容易でない。例えば作曲の才能に秀でている者がいたとしても、楽曲として完成するためには歌詞を付けたり楽器演奏を付けたりといった様々な能力も必要となってくる。複数のメンバーから構成されるバンドの場合には、各々のメンバーがそれぞれの得意とするパートを担っていることも多い。
【０００４】
これに関する技術として、特許文献１には、通信回線網を介して、楽曲の元となるデータを受信し、それを合成して楽曲を作成する楽曲作成装置及び、一般ユーザから優れたアーティストを発掘し、通信回線網上の音楽ビジネスを実行する音楽配信システムが記載されている。
【０００５】
特許文献１記載の発明によれば、通信回線網を介して複数の楽曲元データ送信端末に接続された楽曲作成装置の楽譜公開手段によって、パート別の楽譜が通信回線網上に公開され、楽曲元データ受信手段によって、前記楽譜に従った各パート別の楽曲元データが前記複楽曲元データ送信端末から通信回線網を介して受信され、合否判定手段によって前記楽曲元データと、楽曲基準データとに基づいて、前記各パート別に評価され、各パート別に楽曲元データの合否が判定され、楽曲作成手段によって、前記合否判定手段で合格と判定された各パート毎の一の楽曲元データが組み合わされて楽曲データが作成される。
【０００６】
このため、通信回線網を介して、オーディションとして広く一般人から楽曲の元となるパート別の楽曲元データを募集でき、そのうち、合否判定手段によって優れていると判定された楽曲元データのみを、楽曲として組み合わせることが出来るので、才能があるにもかかわらず、音楽活動を行う機会が無かった一般人アーティストを容易に、かつ低いコストで発掘できることが記載されている。
【先行技術文献】
【特許文献】
【０００７】
【特許文献１】特開２００１−１００６０４号公報
【発明の概要】
【発明が解決しようとする課題】
【０００８】
しかしながら、上記特許文献１記載の発明においては、楽曲基準データに基づいて楽曲元データの合否が合否判定手段によって判定されるため、オーディションの応募者は少なくとも楽曲基準を超えられるだけの音楽スキル（例えば楽器を演奏するスキル）が要求されるという問題がある。このため、本来的な音楽的才能を有する人であっても楽曲スキルや知識が未熟であるといった場合には、このような人物を発掘することは困難である。またそもそも、音楽といった創作物は、一定の楽曲基準といったものでその優劣を評価しない方がよい場合も多い。
【０００９】
本発明は、上記の点に鑑み提案されたものであり、一つの側面では、音楽の投稿、募集、視聴、応募を通じて、音と音および人と人をつなぐ音楽投稿プラットフォームを提供することを目的とする。
【課題を解決するための手段】
【００１０】
上記の課題を解決するため、本発明に係る音楽投稿装置は、ユーザ端末により楽音が投稿される音楽投稿装置であって、入力された募集楽音を録音する録音手段と、前記募集楽音の投稿情報を作成する投稿作成手段と、前記募集楽音に同調した応募楽音が入力された場合、前記募集楽音と前記応募楽音とを合成録音する合成録音手段と、を有し、前記投稿作成手段は、前記募集楽音と合成録音された前記応募楽音を、前記募集楽音と関連付ける。
【００１１】
また、上記の課題を解決するため、本発明に係る音楽投稿システムは、ユーザ端末のアプリケーションプログラムと、音楽投稿サーバ装置とを含む音楽投稿システムであって、前記アプリケーションプログラムは、コンピュータを、楽音を入力する入力手段と、前記入力手段により入力された募集楽音を録音する録音手段と、前記音楽投稿サーバ装置に前記録音手段により録音された募集楽音を投稿する投稿送信手段と、前記音楽投稿サーバ装置から前記募集楽音を含む投稿情報を取得する投稿取得手段と、前記投稿情報の中からユーザに選択された募集楽音を再生する再生手段と、前記募集楽音に同調した応募楽音が入力された場合、前記募集楽音と前記応募楽音とを合成録音する合成録音手段と、して機能させ、前記投稿送信手段は、前記音楽投稿サーバ装置に、前記募集楽音と合成録音された前記応募楽音を、前記募集楽音と関連付けて投稿し、前記音楽投稿サーバ装置は、前記投稿送信手段により投稿された前記募集楽音と、前記募集楽音と合成録音された前記応募楽音とを受信する受信する受信手段と、前記受信手段により受信された前記募集楽音を含む投稿情報を作成する投稿作成手段と、を有し、前記投稿作成手段は、前記受信手段により前記応募楽音が受信された場合、前記募集楽音と合成録音された前記応募楽音を、前記募集楽音と関連付ける。
【発明の効果】
【００１２】
本発明の実施の形態によれば、音楽の投稿、募集、視聴、応募を通じて、音と音および人と人をつなぐ音楽投稿プラットフォームを提供することができる。
【図面の簡単な説明】
【００１３】
【図１】本実施形態に係る音楽投稿システムの構成例を示す図である。
【図２】本実施形態に係る音楽投稿システムのハードウェア構成例を示す図である。
【図３】本実施形態１に係るユーザ端末の音楽投稿アプリ画面例を示す図である。
【図４】本実施形態１に係るユーザ端末の音楽投稿アプリ画面例を示す図である。
【図５】本実施形態１に係るユーザ端末の音楽投稿アプリ画面例を示す図である。
【図６】本実施形態１に係るユーザ端末の音楽投稿アプリ画面例を示す図である。
【図７】本実施形態１に係るユーザ端末の音楽投稿アプリ画面例を示す図である。
【図８】本実施形態１に係るユーザ端末の音楽投稿アプリ画面例を示す図である。
【図９】本実施形態１に係るユーザ端末の音楽投稿アプリ画面例を示す図である。
【図１０】本実施形態１に係るユーザ端末の音楽投稿アプリ画面例を示す図である。
【図１１】本実施形態１に係るユーザ端末の音楽投稿アプリ画面例を示す図である。
【図１２】本実施形態１に係るユーザ端末の音楽投稿アプリ画面例を示す図である。
【図１３】本実施形態１に係る音楽投稿システムのソフトウェア構成例を示す図である。
【図１４】本実施形態１に係るユーザ管理ＤＢ１０３ａのデータ例を示す図である。
【図１５】本実施形態１に係る投稿管理ＤＢ１０３ｂのデータ例を示す図である。
【図１６】本実施形態２に係るユーザ端末の音楽投稿サイト画面例を示す図である。
【図１７】本実施形態２に係るユーザ端末の音楽投稿サイト画面例を示す図である。
【図１８】本実施形態２に係るユーザ端末の音楽投稿サイト画面例を示す図である。
【図１９】本実施形態２に係るユーザ端末の音楽投稿サイト画面例を示す図である。
【図２０】本実施形態２に係るユーザ端末の音楽投稿サイト画面例を示す図である。
【図２１】本実施形態２に係る音楽投稿システムのソフトウェア構成例を示す図である。
【図２２】本実施形態１、２に係る募集楽音及び応募楽音の具体例を示す図である。
【発明を実施するための形態】
【００１４】
本発明の実施の形態について、図面を参照しつつ詳細に説明する。
【００１５】
＜システム構成＞
図１は、本実施形態に係る音楽投稿システムの構成例を示す図である。図１の音楽投稿システム１００は、投稿サーバ１０及びユーザ端末２０を含み、ネットワーク３０を介して接続されている。
【００１６】
投稿サーバ１０は、ユーザのユーザ端末２０から投稿（送信）された楽音データを格納し管理を行うサーバ装置である。
【００１７】
ユーザ端末２０は、例えばスマートフォン２０ａ、タブレット端末２０ａ又はパーソナルコンピュータ２０ｂなどであり、楽音データの入力、録音及び投稿を行うための情報端末装置である。ユーザ端末２０には予め所定のアプリ（アプリケーション・プログラム）がインストールされる。
【００１８】
ネットワーク３０は、有線、無線を含む通信ネットワークである。ネットワーク３０は、例えば、インターネット、公衆回線網、ＷｉＦｉ（登録商標）などを含む。
【００１９】
はじめに、募集者はユーザ端末２０から自ら作成した音（募集楽音という）を投稿サーバ１０に投稿し、当該募集音に対して求める音を募集する。募集音を視聴した応募者は、当該募集楽音に音（応募楽音という）を付けて投稿サーバ１０に返信投稿する。これにより、本実施形態に係る発明は、音楽の投稿、募集、視聴、応募を通じて、音と音および人と人をつなぐ音楽投稿プラットフォームを提供する。以下詳しく説明する。
【００２０】
＜ハードウェア構成＞
図２は、本実施形態に係る音楽投稿システムのハードウェア構成例を示す図である。図２に示されるように、投稿サーバ１０は、ＣＰＵ（Central Processing Unit）１１、ＲＯＭ（Read Only Memory）１２、ＲＡＭ（Random Access Memory）１３、ＨＤＤ（Hard Disk Drive）１４、及び通信装置１５を有する。
【００２１】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。通信装置１５は、ネットワーク３０を介して他装置との通信を行う。
【００２２】
ユーザ端末２０は、ＣＰＵ２１、ＲＯＭ２２、ＲＡＭ２３、ユーザ用メモリ２４、通信装置２５、表示装置２６、入力装置２７、カメラ２８及びマイク２９を有する。
【００２３】
ＣＰＵ２１は、各種プログラムの実行や演算処理を行う。ＲＯＭ２２は、起動時に必要なプログラムなどが記憶されている。ＲＡＭ２３は、ＣＰＵ２１での処理を一時的に記憶したり、データを記憶したりする作業エリアである。ユーザ用メモリ２４は、不揮発性記憶装置であって、上記所定のアプリ等の各種プログラムや楽音データなどの各種ユーザデータを格納し保存する。通信装置２５は、ネットワーク３０を介して他装置との通信を行う。
【００２４】
表示装置２６は、液晶ディスプレイ等のカラーディスプレイである。入力装置２７は、固有の操作キーやボタンなどで実現される。また入力装置２７は、操作キーやボタンに代え、ディスプレイ画面上のタップ座標（タッチ座標）を検知可能なタッチパネルにより実現されうる。この場合、入力操作は画面上のタッチパネルとプログラムにより制御されるソフトウェアキー等とにより実現される。
【００２５】
カメラ２８は、ユーザ端末２０に付属し、画像や動画を撮像する撮像装置である。マイク２９は、音声を入力する装置である。
【００２６】
[実施形態１]
＜音楽投稿アプリ画面例＞
図３〜１２は、本実施形態１に係るユーザ端末の音楽投稿アプリ画面例を示す図である。ユーザ端末２０は、例えばスマートフォン２０ａやタブレット端末２０ａであって、予め所定の音楽投稿アプリ（アプリケーション・プログラム）がインストールされる。以下図面を参照しながら説明する。
【００２７】
（募集投稿）
ユーザはユーザ端末２０のアプリを起動し、アプリを介して投稿サーバ１０にアクセスし、画面Ａを表示する（図３）。ユーザは初回アクセスの場合には「新規登録」５１を行い、登録したユーザＩＤとパスワードを入力することで「ログイン」５２を行う。
【００２８】
ログイン後、アプリは画面Ｂに遷移する（図４）。ログイン中はログインしたユーザ名５３（例えば、「Ｙｕｋｉ」さん）が表示される。画面Ｂは投稿ｌｉｓｔ画面であって、各ユーザによる投稿スレッド（リスト）５４が一覧表示されている。
【００２９】
ここで、ユーザが自ら作成した楽音を肉声で投稿したい場合、画面Ｂの下方にあるメニューバーの「ｒｅｃ（録音）」５５を押下する。
【００３０】
アプリは画面Ｃに遷移する（図５）。画面Ｃは投稿ｒｅｃ（ｒｅｃｏｒｄ）画面であって、ユーザが投稿したい楽音の録音を行うための録音ツール画面である。録音ツール画面は、録音情報表示部５６、録音開始ボタン５７、録音停止ボタン５８、再生ボタン５９、再生進行バー６０、募集コメント入力欄６１、投稿ボタン６２、一時保存ボタン６３、Ｒｅｓｅｔ（リセット）ボタン６４を有する。
【００３１】
ユーザは投稿したい楽音の録音を開始する場合、録音開始ボタン５７を押下し、ユーザ端末２０のマイク２９に楽音を肉声で吹き込んで入力する。楽音の入力が終わると、録音停止ボタン５８を押下する。
【００３２】
ここで、楽音は一般的には楽器や人の声によって奏でられる「音楽の音」あるいは「音楽に使われる音」という意味である。本実施形態においては、ユーザが歌唱音（歌・歌声）や、もしくは具体的な歌詞を伴わない鼻歌音（鼻唄音）や口ずさみ音を、楽音としてマイク２９に入力する。また、マイク２９にはこれら歌唱音、鼻歌音又は口ずさみ音に加えて、更にユーザが同時に楽器を演奏することにより、楽器の演奏音（伴奏音）を含んで入力することも可能である。
【００３３】
楽音の録音を停止すると、画面Ｄ（図６）に示されるように、録音情報表示部５６には、録音時間（例えば、０１ｍ０５ｓ）及び投稿者（例えば、「Ｙｕｋｉ」）などの録音情報が表示される。また、ユーザが録音したばかりの楽音を再生して試聴する場合、再生ボタン５９を押下することで、録音された楽音が再生される。再生に応じて再生進行バー６０が進行するとともに、ユーザが再生進行バー６０の位置を操作することで、録音した楽音の再生位置を任意に調整可能である。
【００３４】
また、ユーザは投稿しようとする楽音に添付する募集コメントを募集コメント入力欄６１に入力し、他のユーザからの楽音を募集する。以下に具体的な募集コメント例を示す。
・「寝る前に口ずさみましたので、投稿します！」
・「このメロディにギターソロを弾いてください。」
・「このメロディに歌詞を作ってください。私は楽器を弾けないため、鼻歌ですみません。」
【００３５】
この募集コメントからも分かるように、はじめのユーザ（募集者）が、他のユーザから音を募るために投稿する楽音（募集楽音）と、その楽音に対して他のユーザが応募する形で投稿する楽音（応募楽音）は、楽曲構成上、それぞれが一パートを担う楽音である。即ち、一パートを担う第１の楽音（募集楽音）に対してもう一パートを担う第２の楽音（応募楽音）が同調して組み合わさって一つの多重楽音を構成する。そしてこの多重楽音こそがはじめのユーザ（募集者）が求める音である。
【００３６】
ユーザが投稿ボタン６２を押下すると、録音した楽音データ及び募集コメントデータがアプリを介して投稿サーバ１０に投稿（送信）される。なお、ユーザが録音した楽音データ及び募集コメントデータを投稿サーバ１０に投稿（送信）せずにアプリ内に一時保存しておきたい場合には、一時保存ボタン６３を押下する。また録音した楽音データ及び募集コメントデータを削除・リセットしたい場合には、Ｒｅｓｅｔボタン６４を押下する。
【００３７】
録音した楽音データ及び募集コメントデータが投稿サーバ１０に投稿されると、アプリは画面Ｅに遷移する（図７）。画面Ｅの投稿ｌｉｓｔ画面には、新しく募集投稿された投稿スレッド６５（Ｙｕｋｉ  ２０１８／１０／１０  ＡＭ１：１５  １ｍ０５ｓ  ｒｅｓ０）が追加表示されていることがわかる。
投稿者（ユーザ名）：Ｙｕｋｉ
投稿日時：２０１８／１０／１０  ＡＭ１：１５
録音時間：１ｍ０５ｓ（１分５秒）
返信投稿数（レスポンス数）：ｒｅｓ
【００３８】
（応募投稿）
画面Ｆ（図８）は、別ユーザ（例えば、「Ｓａｍ」さん）によりログインされた投稿ｌｉｓｔ画面である。画面Ｆの投稿ｌｉｓｔ画面には、ユーザ「Ｙｕｋｉ」からの投稿スレッド６５が公開表示されている。ユーザが試聴を所望する投稿スレッド６５を押下（タップ）すると、アプリは画面Ｇに遷移する（図９）。
【００３９】
画面Ｇ（図９）に示されるように、録音情報表示部５６には、当該投稿された楽音データに係る、録音時間（例えば、０１ｍ０５ｓ）及び投稿者（例えば、「Ｙｕｋｉ」）などの録音情報が表示される。また、ユーザが投稿者「Ｙｕｋｉ」により投稿された楽音データを再生して試聴する場合、再生ボタン５９を押下することで、投稿された楽音データが再生される。再生に応じて再生進行バー６０が進行するとともに、再生進行バー６０の位置を操作することで、楽音の再生位置を任意に調整可能である。
【００４０】
ここで、ユーザは投稿者「Ｙｕｋｉ」により投稿された楽音に対して、自らで楽器を演奏することで演奏（伴奏）を付けることが可能である。これはバッキングを付ける、バッキング演奏を入れるなどともいう。演奏は、投稿された楽音に同調して演奏される楽器演奏音である。楽器の種類は任意でよく、一の楽器でも複数の楽器でもよいことは言うまでもない。
【００４１】
ユーザが録音開始ボタン５７を押下すると、投稿された楽音が再生されるとともに再生に応じて再生進行バー６０が進行する。ユーザは投稿者「Ｙｕｋｉ」の楽音を聞きながら、当該楽音に同調させて自らで楽器を演奏（伴奏）し又は肉声で歌唱するなどして、ユーザ端末２０のマイクに新たな楽音（楽器の演奏音又は歌唱音）を入力する。楽音の入力が終わると、録音停止ボタン５８を押下する。これにより、多重楽音データ（ユーザ「Ｙｕｋｉ」の楽音＋ユーザ「Ｓａｍ」の楽音）が合成録音される。また、ユーザが録音したばかりの多重楽音データを再生して試聴する場合、再生ボタン５９を押下することで、録音された多重楽音データが再生される。
【００４２】
また、ユーザは投稿する楽音に添付する応募コメントを応募コメント入力欄６１ｂに入力可能である。ユーザが投稿ボタン６２を押下すると、録音した多重楽音データ及び応募コメントデータがアプリを介して投稿サーバ１０に投稿（送信）される。なお、ユーザが録音した多重楽音データ及び応募コメントデータをアプリ内に一時保存しておきたい場合には、一時保存ボタン６３を押下する。また録音した多重楽音データ及び応募コメントデータを削除・リセットしたい場合には、Ｒｅｓｅｔボタン６４を押下する。
【００４３】
新たな多重楽音データ及び応募コメントデータが投稿サーバ１０に投稿されると、アプリは画面Ｈに遷移する（図１０）。画面Ｈには、投稿スレッド６５に紐付いて応募投稿された投稿スレッド６６（Ｓａｍ  ２０１８／１０／１０  ＡＭ２：００  １ｍ０５ｓ  ｒｅｓ０）が返信投稿という形で追加表示されていることがわかる。
投稿者（ユーザ名）：Ｓａｍ
投稿日時：２０１８／１０／１０  ＡＭ２：００
録音時間：１ｍ０５ｓ（１分５秒）
返信投稿数（レスポンス数）：ｒｅｓ０
【００４４】
なお、ユーザ端末２０のアプリ側において、楽音の入力に伴って多重楽音データを合成録音したが、投稿サーバ１０ではユーザ端末２０から楽音データを受信し、受信した楽音音データと元の楽音データとを合成することで、投稿サーバ１０側で２つの楽音を含む多重楽音データを合成録音することも可能である。
【００４５】
画面Ｈにおいて、ユーザが新たな投稿スレッド６６を押下すると、アプリは画面Iに遷移する（図１１）。ユーザが投稿者「Ｙｕｋｉ  ｗｉｔｈ  Ｓａｍ」により投稿された多重楽音データ（ユーザ「Ｙｕｋｉ」の楽音＋ユーザ「Ｓａｍ」の楽音）を再生して試聴する場合、再生ボタン５９を押下することで、投稿された多重楽音データが再生される。
【００４６】
なお、返信投稿された投稿スレッド６６について、ユーザ「Ｙｕｋｉ」及び「Ｓａｍ」は勿論のこと、他のユーザ（第三者）であっても各々がログイン後、再生して視聴することが可能である。
【００４７】
更にユーザ「Ｙｕｋｉ」、「Ｓａｍ」又は他のユーザ（第三者）が投稿者「Ｙｕｋｉ  ｗｉｔｈ  Ｓａｍ」により投稿された多重楽音に対して更なる楽音を入力する場合、録音開始ボタン５７を押下すると多重楽音データが再生されるので、これにあわせてユーザ端末２０のマイクに楽音（楽器の演奏音又は歌唱音）を更に入力することが可能である。楽音の入力が終わると、録音停止ボタン５８を押下する。これにより、１〜３つの楽音を含む多重楽音データ（ユーザ「Ｙｕｋｉ」の楽音＋ユーザ「Ｓａｍ」の演奏音＋他のユーザの演奏音）が合成録音される。また、ユーザが録音したばかりの多重楽音データを再生して試聴する場合、再生ボタン５９を押下することで、録音された多重楽音データが再生される。
【００４８】
録音した多重楽音データ（ユーザ「Ｙｕｋｉ」の楽音＋ユーザ「Ｓａｍ」の楽音＋他のユーザの楽音）及び応募コメントデータが投稿サーバ１０に投稿されると、アプリは画面Ｊに遷移する（図１２）。画面Ｊには、投稿スレッド６５に投稿スレッド６６が紐付くとともに、投稿スレッド６６に紐付いて応募投稿された投稿スレッド６７（Ｔｅｔｓｕ  ２０１８／１０／１０  ＡＭ２：５０  １ｍ０５ｓ  ｒｅｓ０）が返信投稿という形で追加表示されていることがわかる。
投稿者（ユーザ名）：Ｔｅｔｓｕ
投稿日時：２０１８／１０／１０  ＡＭ２：５０
録音時間：１ｍ０５ｓ（１分５秒）
返信投稿数（レスポンス数）：ｒｅｓ０
【００４９】
更に例えば、画面Ｊには、投稿スレッド６５に別途紐付いて応募投稿された投稿スレッド６８（Ｔｏｍ  ２０１８／１０／１０  ＡＭ３：００  １ｍ０５ｓ  ｒｅｓ０）が返信投稿という形で追加表示されていることがわかる。
【００５０】
以上のように、自ら思い浮かんだ最初の楽音（例えば歌唱音、鼻歌音、口ずさみ音等）を、ユーザがスマートフォンなどのアプリから手軽にアップロードすることが可能となる。また、他のユーザは、このようにアップロードされた楽音を視聴し、気に入ったその楽音に対して演奏・伴奏（バッキング）又は歌唱を付けて再アップロードすることが可能である。即ち、音楽の投稿、募集、視聴、応募を通じて、音と音および人と人をつなぐ音楽投稿プラットフォームを提供することが可能である。
【００５１】
色々なシチュエーションで思い浮かんだ最初の楽音は、音楽（楽曲）としては全くブラッシュアップされていないものの、そんなメロディでも光る原石である可能性がある。ユーザがアプリから手軽に楽音をアップロードし公開することで、広く他のミュージシャン（アーティスト）により視聴され、その中からミュージシャンの眼鏡に適った楽音については、様々な演奏等を付けてもらうことが可能となり、その結果、当初は拙い楽音であったとしても、最終的に完成度の高い音楽（楽曲）として発展させることができる。
【００５２】
なお、アップロードした楽音がミュージシャンに演奏等を付けてもらえるかどうかは、一定の楽曲基準といったものが設けられているわけではなく、あくまで広く他のミュージシャンらにより視聴され、その中からミュージシャン自身の眼鏡に適うかどうか次第である。
【００５３】
また、他にも以下の効果が期待される。
・楽曲スキルや知識が未熟なユーザあっても、音楽家（作曲家）への途が拓くための有効な機会となる。
・楽音の投稿者と演奏音の投稿者とが出会う機会となり、新しい音楽家同士の出会いの場としても機能しうる。
・例えば音楽プロデューサーなどがそのような才能を持ったユーザを発掘する新たな場として活用することが可能である。
【００５４】
（補足）
・ユーザが最初に投稿する楽音は動画として登録してもよく、音声のみ又は動画の何れかを選択して投稿可能としてもよい。この場合、投稿ｒｅｃ画面（図８）は、ユーザが投稿したい楽音を含む動画の録画を行うための録画ツール画面となる。ユーザは投稿したい動画の録画を開始する場合、録画ツール画面において録画開始ボタン（非図示）を押下し、ユーザ端末２０のマイク２９に楽音を入力するとともに、付属のカメラ２８に動画像を入力する。
【００５５】
・投稿スレッド５４に対して、それらを試聴したユーザの各々がユーザ評価を付けるようにしてもよい。評価値は、例えば１〜５段階の数値、星の数などで表現しうる。多くのユーザから支持を受けた投稿スレッドほど高い評価値が付くので、ミュージシャンらが演奏等を付けようとする楽音を選択する際の一つの目安として利用しうる。また例えば音楽プロデューサーなどが価値の高い音楽を見付けだす際の一つの目安としても利用しうる。また例えば、アプリ上で開催されるコンテスト等において、高い評価値の投稿スレッドに対して賞（大賞、年間大賞等）を付与することができる。
【００５６】
＜ソフトウェア構成＞
図１３は、本実施形態１に係る音楽投稿システムのソフトウェア構成例を示す図である。投稿サーバ１０は、主な機能部として、投稿送受信部１０１、投稿作成部１０２、及び記憶部１０３を有する。
【００５７】
投稿送受信部１０１は、ユーザ端末から投稿された募集楽音や応募楽音を受信する受信する機能を有している。
【００５８】
投稿作成部１０２は、入力された募集楽音の投稿情報（投稿スレッド等）を作成する機能を有している。また、ユーザ端末２０から投稿情報の取得要求を受信した場合、投稿情報を送信する機能を有している。
【００５９】
記憶部１０３は、ユーザ情報が予め登録されたユーザ管理ＤＢ１０３ａ、ユーザ端末２０から投稿された音データや投稿情報が管理される投稿管理ＤＢ１０３ｂする。
【００６０】
ユーザ端末２０は、主な機能部として、入力部２０１、録音部２０２、投稿取得部２０３、表示部２０４、再生部２０５、及び投稿送受信部２０６を有する。
【００６１】
入力部２０１は、音を入力する機能を有している。
【００６２】
録音部２０２は、入力部２０１により入力された募集楽音を録音する機能を有している。また、募集楽音に同調した応募楽音が入力された場合、募集楽音と応募楽音とを合成録音する機能を有している。
【００６３】
投稿取得部２０３は、投稿サーバ１０から投稿情報を取得する機能を有している。
【００６４】
表示部２０４は、投稿サーバ１０から取得した投稿情報を表示する機能を有している。
【００６５】
再生部２０５は、投稿情報の中からユーザに選択された投稿を再生する機能を有している。
【００６６】
投稿送受信部２０６は、投稿サーバ１０に録音部２０２により録音された募集楽音を投稿（送信）する。
【００６７】
なお、各機能部は、投稿サーバ１０及びユーザ端末２０を構成するコンピュータのＣＰＵ、ＲＯＭ、ＲＡＭ等のハードウェア資源上で実行されるコンピュータプログラム及びアプリケーションプログラムによって実現されるものである。これらの機能部は、「手段」、「モジュール」、「ユニット」、又は「回路」に読替えてもよい。また、投稿サーバ１０における記憶部１０３の各ＤＢは、ネットワーク３０上の外部記憶装置に配置することも可能である。
【００６８】
（各種データベース）
図１４は、本実施形態１に係るユーザ管理ＤＢ１０３ａのデータ例を示す図である。ユーザ管理ＤＢ１０３ａは、ユーザ（利用者）のユーザ情報が予め登録されたデータベースであり、例えば、「ユーザＩＤ」、「ユーザ名」、「パスワード」、「メールアドレス」、「年齢」、「性別」などのデータ項目を有する。
【００６９】
「ユーザＩＤ」は、管理上、ユーザ毎に付番される固有の識別子を示す。なお、ユーザとは音楽投稿システム１００におけるユーザ端末２０のユーザ（利用者）である。「パスワード」は、音楽投稿システム１００（投稿サーバ１０）のログイン・パスワードを示す。
【００７０】
「メールアドレス」は、ユーザの有するメールアドレスを示す。「年齢」、「性別」は、ユーザ属性情報としての年齢、性別を示す。
【００７１】
なお、これらユーザ情報は、ユーザ自身が会員登録を行うことによって予め入力登録されうる。また、これ以外のユーザ属性情報を有していてもよい。
【００７２】
図１５は、本実施形態１に係る投稿管理ＤＢ１０３ｂのデータ例を示す図である。投稿管理ＤＢ１０３ｂは、ユーザ端末２０から投稿された楽音データや投稿情報が管理されるデータベースであり、例えば、「ユーザＩＤ」、「投稿ＩＤ」、「投稿日時」、「楽音データ」、「親投稿ＩＤ」などのデータ項目を有する。
【００７３】
「ユーザＩＤ」は、管理上、ユーザ毎に付番される固有の識別子を示す。他のＤＢと紐付ける。「投稿ＩＤ」は、管理上、投稿される楽音データ毎に付番される固有の識別子を示す。「投稿日時」は、楽音データが投稿された日時を示す。「楽音データ」は、投稿された楽音データのデータファイルを示す。「親投稿ＩＤ」は、当該投稿から見て親関係を有する投稿ＩＤを示す。２つの投稿を例えば親子関係としてツリー状に関連付ける。
【００７４】
[実施形態２]
＜音楽投稿サイト画面例＞
図１６〜２０は、本実施形態２に係るユーザ端末の音楽投稿サイト画面例を示す図である。ユーザ端末２０は、例えばスマートフォン２０ａ、タブレット端末２０ａ又はパーソナルコンピュータ２０ｂなどであり、であって、所定のウェブブラウザがインストールされている。以下図面を参照しながら説明する。
【００７５】
（募集投稿）
ユーザはユーザ端末２０のウェブブラウザを起動し、ウェブブラウザを介して投稿サーバ１０の音楽投稿サイトにウェブアクセスし、画面Ｋを表示する（図１６）。ユーザは登録したユーザＩＤとパスワードを入力することでサイトにログインし、ログイン中はログインしたユーザ名７０（例えば、「Ｙｕｋｉ」さん）が表示される。画面Ｋは例えば音楽投稿サイトのトップ画面であって、各ユーザによる投稿スレッド（リスト）７１が一覧表示されている。投稿スレッド（リスト）７１は、投稿情報７２、投稿された動画データもしくは音声データを含んでいる。また、動画データの場合にはサムネイル画像７３が表示され、音声データのみの場合にはサムネイル画像７３に代えて所定画像（例えばサイトロゴ）、ユーザ画像、又は広告動画が表示されうる。
【００７６】
ここで、ユーザが自ら作成した楽音動画（楽器の演奏音、歌唱音又は鼻歌音等の動画）を新たに録画して投稿したい場合、画面Ｋの右上方にある「ｒｅｃ」７４を押下する。なお、既に音を録音・録画したデータファイルが存在しそれを投稿したい場合、画面Ｋの右上方にある「Ｕｐｌｏａｄ」７５からデータファイルをアップロードすることも可能である。
【００７７】
「ｒｅｃ」７４を押下すると、画面Ｌの投稿レコーディング画面に遷移する（図１７）。画面Ｌは、ユーザが投稿したい楽音動画の録画を行うための録画ツール画面である。録画ツール画面は、録画情報表示部７６、録画開始ボタン７７、録画停止ボタン７８、基準ファイルの音量調整バー７９、再生ボタン８０、動画再生表示欄８１、募集タイトル入力欄８２ａ、募集コメント入力欄８２ｂ、報酬入力欄８３、締切期限入力欄８４、投稿ボタン８５、一時保存ボタン８６、Ｒｅｓｅｔボタン８７を有する。
【００７８】
ユーザは投稿したい楽音動画の録画を開始する場合、録画開始ボタン７７を押下し、ユーザ端末２０のマイク２９に楽音（楽器の演奏音、歌唱音又は鼻歌音等）を入力するとともに、付属のカメラ２８に動画像を撮影入力する。なおここで撮影入力される動画像は、例えばユーザ自らの歌唱シーン動画、楽器の演奏シーン動画、ダンスやパフォーマンスシーン動画等である。
【００７９】
楽音動画の録画を停止すると、画面Ｍ（図１８）に示されるように、録画情報表示部７６には、録画時間（例えば、０１ｍ０５ｓ）などの録画情報が表示される。また、ユーザが録画したばかりの楽音動画を再生して視聴する場合、再生ボタン８０を押下することで、録画された楽音動画が再生される。
【００８０】
また、ユーザは投稿しようとする楽音動画の募集タイトルを募集タイトル入力欄８２ａに、募集コメントを募集コメント入力欄８２ｂに入力可能である。更にユーザは報酬入力欄８３及び締切期限入力欄８４を入力する。報酬は、投稿された楽音動画（募集楽音動画）に対して返信投稿を行ったユーザのうち楽音動画（応募楽音動画）が採用されたユーザに対して支払われる報酬・インセンティブである。締切期限は、投稿された楽音動画に対して返信投稿を行える期限日時を示す。
【００８１】
このようにユーザが楽音動画を投稿する際には、募集タイトル入力欄８２ａ及び募集コメント入力欄８２ｂにどのような音を求めているかを入力し、報酬がある場合にはよりよい音を集めるインセンティブとすべく報酬入力欄８３に金額を入力し、募集の締切期限入力欄８４を入力する。このようにユーザが投稿する音に対して必要とする音を、世間に広く募集することが可能となっている。以下に具体的な募集コメント例を示す。
・「１万円でベースを弾いてください。」
・「２万円でギターソロを弾いてください。」
・「このメロディに歌詞を作ってください。」
・「誰かこの曲を歌って欲しい。但し今は謝礼は出来ません。でも良かったら一緒にバンドを組みたい。」
・「この曲のシンガーを募集します。採用された方と弊社は契約を締結し、あなたにはＣＤデビューしてもらいます。」
【００８２】
ユーザが投稿ボタン８５を押下すると、録画した楽音動画データ、募集タイトル、募集コメント、報酬及び締切期限のデータがウェブブラウザを介して投稿サーバ１０に投稿（送信）される。なお、ユーザが録画した楽音動画データ、募集タイトル、募集コメント、報酬及び締切期限のデータを投稿サーバ１０に投稿（送信）せずに一時保存しておきたい場合には、一時保存ボタン８６を押下する。また削除・リセットしたい場合には、Ｒｅｓｅｔボタン８７を押下する。
【００８３】
録画した楽音動画データ、募集タイトル、募集コメント、報酬及び締切期限のデータが投稿サーバ１０に投稿されると、画面Ｎに遷移する（図１９）。画面Ｎに示されるように、音楽投稿サイトのトップ画面には、新しく募集投稿された投稿スレッド８８（Ｙｕｋｉ  ２０１８／１０／１０  ＡＭ１：１５  １ｍ０５ｓ  ｒｅｓ０）が追加表示されていることがわかる。
投稿者（ユーザ名）：Ｙｕｋｉ
投稿日時：２０１８／１０／１０  ＡＭ１：１５
録音時間：１ｍ０５ｓ（１分５秒）
返信投稿数（レスポンス数）：ｒｅｓ
【００８４】
（応募投稿）
音楽投稿サイトのトップ画面上から新しく募集投稿された投稿スレッド８８が押下されると、画面０の投稿画面に遷移する（図２０）。但し画面０の投稿画面は、別ユーザ（例えば、「Ｓａｍ」さん）がログイン中である。画面０の投稿画面には、再生ボタン８０、動画再生表示欄８１、再生数８８、評価値８９、募集タイトル表示欄９０ａ、募集コメント表示欄９０ｂ、報酬表示欄９１、締切期限表示欄９２、返信投稿スレッド９３、動画再生表示欄９４、選択ボタン９５を有する。
【００８５】
ユーザが投稿者「Ｙｕｋｉ」により投稿された楽音動画データを再生して視聴する場合、再生ボタン８０を押下することで、動画再生表示欄８１に投稿された楽音動画が再生される。楽音動画が再生されるたびに再生数８８がカウントアップされるので、沢山再生された楽音動画ほど再生数が多くなる。また、楽音動画を再生し視聴したユーザが評価値８９を付けることができ、高支持された楽音動画ほど評価値が高くなる。
【００８６】
ここで、ユーザは投稿者「Ｙｕｋｉ」により投稿された楽音動画に同調して、自ら歌唱したり、もしくは自らで楽器の演奏（伴奏）を付けることが可能である。ユーザが募集タイトル、募集コメント、報酬、締切期限などを確認の上、自らの楽音動画（楽器の演奏音、歌唱音等の動画）を録画して返信投稿したい場合には、「ｒｅｃ」７４を押下する。なお、既に音を録音・録画したデータファイルが存在しそれを投稿したい場合、「Ｕｐｌｏａｄ」７５からデータファイルをアップロードすることも可能である。「ｒｅｃ」７４を押下すると、再び画面Ｌの投稿レコーディング画面に遷移する（図１７）。上述したように画面Ｌにおいてユーザが返信投稿したい楽音動画の録音・録画を行うことが可能である。
【００８７】
投稿サーバ１０は、ユーザ端末２０から入力された楽音動画データを受信すると、受信した楽音動画データと元の楽音動画データとを合成し、多重楽音動画データ（ユーザ「Ｙｕｋｉ」の楽音動画＋ユーザ「Ｓａｍ」の楽音動画）を合成録音する。
【００８８】
返信投稿スレッド９３には、オーナー投稿者「Ｙｕｋｉ」により投稿された楽音動画（募集楽音動画）に対して返信投稿された多重楽音動画（応募楽音動画）が表示される。なお、この多重楽音動画は、オーナー投稿者の設定等に応じて、どのユーザでも再生できるようにしてもよいし、オーナー投稿者のみが再生できるように制限を設けてもよい。
【００８９】
また、多重楽音動画の動画像の扱いについて、返信投稿スレッド９３の動画再生表示欄９４に表示される動画映像又はサムネイル画像は、返信投稿された楽音動画のものを表示する。但し、オーナー投稿者の設定等に応じて、オーナー投稿者により投稿された元の楽音動画を優先表示するか、オーナー投稿者により投稿された元の楽音動画と返信投稿された楽音動画とを画面上領域に分割して表示することも可能である。また、何れか片方が音声データのみである場合には、もう片方の楽音動画を表示する。
【００９０】
選択ボタン９５は、オーナー投稿者が報酬を支払う返信投稿、又は報酬が無償の場合は採用したい返信投稿を選択するためのボタンである。但し、選択ボタン９５はオーナー投稿者である「Ｙｕｋｉ」がログイン時のみに表示・押下が制限される。オーナー投稿者は締切期限経過後、少なくとも一以上の返信投稿を選択することで、報酬付与者・採用者を決定する。
【００９１】
以上のように、ユーザが音楽投稿サイト上において楽音動画（募集楽音動画）を投稿することで、当該募集者が投稿する音に対して必要とする音を、世間に広く募集することが可能となっている。また併せて募集タイトルや募集コメントを通じて具体的にどのような音を求めているかを伝えるとともに、応募者に対して報酬を付与することで、よりよい音を集めるインセンティブとすることができる。
【００９２】
また、他のユーザは、このようにアップロードされた楽音動画を視聴し、気に入ったその楽音動画に対して歌を付けたり楽器演奏・伴奏を付けた楽音動画（応募楽音動画）を再アップロードすることが可能である。即ち、音楽の投稿、募集、視聴、応募を通じて、音と音および人と人をつなぐ音楽投稿プラットフォームを提供することが可能である。
【００９３】
また、他にも以下の効果が期待される。
・楽曲スキルや知識が未熟なユーザあっても、音楽家（作曲家）への途が拓くための有効な機会となる。
・投稿者同士が出会う機会となり、新しい音楽家同士の出会いの場としても機能しうる。
・例えば音楽プロデューサーなどがそのような才能を持ったユーザを発掘する新たな場として活用することが可能である。
・サイト上で開催されるコンテスト等において、高評価値や高再生数の投稿スレッドに対して賞（大賞、年間大賞等）を付与することができる。
【００９４】
＜ソフトウェア構成＞
図２１は、本実施形態２に係る音楽投稿システムのソフトウェア構成例を示す図である。投稿サーバ１０は、主な機能部として、投稿送受信部１０１、録音部１０４、投稿作成部１０２、選択部１０５、及び記憶部１０３を有する。
【００９５】
投稿送受信部１０１は、ユーザ端末から投稿（送信）された募集楽音や応募楽音を受信する受信する機能を有している。
【００９６】
録音部１０４は、ユーザ端末から入力された募集楽音を録音する機能を有している。また、ユーザ端末から募集楽音に同調した応募楽音が入力された場合、募集楽音と応募楽音を合成録音する機能を有している。
【００９７】
投稿作成部１０２は、募集楽音の投稿情報（投稿スレッド等）を作成する機能を有している。
【００９８】
選択部１０５は、募集楽音を入力したユーザ端末のユーザからの選択操作に応じて、応募楽音を入力したユーザ端末のユーザのうち、報酬を付与するユーザを選択する機能を有している。
【００９９】
記憶部１０３は、ユーザ情報が予め登録されたユーザ管理ＤＢ１０３ａ（図１４）、ユーザ端末２０から投稿された音データや投稿情報が管理される投稿管理ＤＢ１０３ｂ（図１５）する。
【０１００】
ユーザ端末２０は、主な機能部として、入力部２０１、表示部２０４、再生部２０５、及び投稿送受信部２０６を有する。
【０１０１】
入力部２０１は、音を入力する機能を有している。
【０１０２】
表示部２０４は、投稿サーバ１０から取得した投稿情報を表示する機能を有している。
【０１０３】
再生部２０５は、投稿情報の中からユーザに選択された募集楽音を再生する機能を有している。
【０１０４】
投稿送受信部２０６は、投稿サーバ１０に入力部２０１により入力された音を投稿（送信）する。
【０１０５】
なお、各機能部は、投稿サーバ１０及びユーザ端末２０を構成するコンピュータのＣＰＵ、ＲＯＭ、ＲＡＭ等のハードウェア資源上で実行されるコンピュータプログラム又はアプリケーションプログラムによって実現されるものである。これらの機能部は、「手段」、「モジュール」、「ユニット」、又は「回路」に読替えてもよい。
【０１０６】
図２２は、本実施形態１、２に係る募集楽音及び応募楽音の具体例を示す図である。但しこれらはあくまで一例であり、ユーザによって自由で様々な組み合わせがあってよい。
【０１０７】
実施形態１に係る音楽投稿アプリにおいて、オーナー投稿者により投稿される募集楽音の種類は、例えば歌唱音、鼻歌音（口ずさみ音を含む）がある。また、返信投稿者により投稿される応募楽音の種類は、歌唱音に対しては楽器等の演奏音（伴奏音）、鼻歌音に対しては楽器等の演奏音（伴奏音）及び歌唱音がありうる。
【０１０８】
実施形態２に係る音楽投稿サイトにおいて、オーナー投稿者により投稿される募集楽音（動画）の種類は、例えば歌唱音、鼻歌音（口ずさみ音を含む）、楽器等の演奏音がある。また、返信投稿者により投稿される応募楽音の種類は、歌唱音に対しては楽器等の演奏音（伴奏音）、鼻歌音に対しては楽器等の演奏音（伴奏音）及び歌唱音、楽器等の演奏音に対しては楽器等の演奏音（伴奏音）及び歌唱音がありうる。
【０１０９】
＜総括＞
本実施形態においては、最初に募集者はユーザ端末２０から自ら作成した音（募集楽音）を投稿サーバ１０に投稿し、当該募集音に対して求める音を募集する。募集音を視聴した応募者は、当該募集楽音に音（応募楽音）を付けて投稿サーバ１０に返信投稿する。これにより、本実施形態に係る音楽投稿システム１００によれば、音楽の投稿、募集、視聴、応募を通じて、音と音および人と人をつなぐ音楽投稿プラットフォームを提供することが可能である。
【０１１０】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１１１】
１０      投稿サーバ
２０      ユーザ端末
３０      ネットワーク
１００    音楽投稿システム
１０１    投稿送受信部
１０２    投稿作成部
１０３    記憶部
１０４    録音部
１０５    選択部
２０１    入力部
２０２    録音部
２０３    投稿取得部
２０４    表示部
２０５    再生部
２０６    投稿送受信部
【図１】
2020095168.tif 000003
【図２】
2020095168.tif 000004
【図３】
2020095168.tif 000005
【図４】
2020095168.tif 000006
【図５】
2020095168.tif 000007
【図６】
2020095168.tif 000008
【図７】
2020095168.tif 000009
【図８】
2020095168.tif 000010
【図９】
2020095168.tif 000011
【図１０】
2020095168.tif 000012
【図１１】
2020095168.tif 000013
【図１２】
2020095168.tif 000014
【図１３】
2020095168.tif 000015
【図１４】
2020095168.tif 000016
【図１５】
2020095168.tif 000017
【図１６】
2020095168.tif 000018
【図１７】
2020095168.tif 000019
【図１８】
2020095168.tif 000020
【図１９】
2020095168.tif 000021
【図２０】
2020095168.tif 000022
【図２１】
2020095168.tif 000023
【図２２】
2020095168.tif 000024
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
ユーザにより楽音が投稿される音楽投稿装置であって、
ユーザにより入力された募集楽音を録音する録音手段と、
前記募集楽音及び報酬に関する情報を含む投稿情報を作成する投稿作成手段と、
ユーザにより前記募集楽音に同調した応募楽音が入力された場合、前記募集楽音と前記応募楽音とを合成録音する合成録音手段と、
前記募集楽音を入力したユーザからの選択操作に応じて、前記応募楽音を入力したユーザのうち、前記報酬を付与するユーザを選択する選択手段とを有し、
前記投稿作成手段は、前記募集楽音と合成録音された前記応募楽音を、前記投稿情報又は前記募集楽音の少なくとも何れかと関連付けること、
を特徴とする音楽投稿装置。
【請求項２】
前記募集楽音及び前記応募楽音は、多重演奏により構成される楽音のうち、それぞれが一パートを担う楽音であること、
を特徴とする請求項１に記載の音楽投稿装置。
【請求項３】
前記募集楽音は、演奏音であり、
前記応募楽音は、前記演奏音に同調して演奏された演奏音又は歌唱された歌唱音であること、
を特徴とする請求項１又は２に記載の音楽投稿装置。
【請求項４】
前記募集楽音は、少なくとも歌唱音又は鼻歌音の何れかであり、
前記応募楽音は、前記歌唱音又は鼻歌音に同調して演奏された演奏音であること、
を特徴とする請求項１又は２に記載の音楽投稿装置。
【請求項５】
コンピュータに、
ユーザにより入力された募集楽音を録音する録音手段と、
前記募集楽音及び報酬に関する情報を含む投稿情報を作成する投稿作成手段と、
ユーザにより前記募集楽音に同調した応募楽音が入力された場合、前記募集楽音と前記応募楽音とを合成録音する合成録音手段と、
前記募集楽音を入力したユーザからの選択操作に応じて、前記応募楽音を入力したユーザのうち、前記報酬を付与するユーザを選択する選択手段として機能させ、
前記投稿作成手段は、前記募集楽音と合成録音された前記応募楽音を、前記投稿情報又は前記募集楽音の少なくとも何れかと関連付けること、
を特徴とする音楽投稿プログラム。
【手続補正３】
【補正対象書類名】明細書
【補正対象項目名】０００１
【補正方法】変更
【補正の内容】
【０００１】
本発明は、音楽投稿装置及び音楽投稿プログラムに関する。
【手続補正４】
【補正対象書類名】明細書
【補正対象項目名】００１０
【補正方法】変更
【補正の内容】
【００１０】
上記の課題を解決するため、本発明に係る音楽投稿装置は、ユーザにより楽音が投稿される音楽投稿装置であって、ユーザにより入力された募集楽音を録音する録音手段と、前記募集楽音及び報酬に関する情報を含む投稿情報を作成する投稿作成手段と、ユーザにより前記募集楽音に同調した応募楽音が入力された場合、前記募集楽音と前記応募楽音とを合成録音する合成録音手段と、前記募集楽音を入力したユーザからの選択操作に応じて、前記応募楽音を入力したユーザのうち、前記報酬を付与するユーザを選択する選択手段とを有し、前記投稿作成手段は、前記募集楽音と合成録音された前記応募楽音を、前記投稿情報又は前記募集楽音の少なくとも何れかと関連付ける。
【手続補正５】
【補正対象書類名】明細書
【補正対象項目名】００１１
【補正方法】変更
【補正の内容】
【００１１】
また、上記の課題を解決するため、本発明に係る音楽投稿プログラムは、コンピュータに、ユーザにより入力された募集楽音を録音する録音手段と、前記募集楽音及び報酬に関する情報を含む投稿情報を作成する投稿作成手段と、ユーザにより前記募集楽音に同調した応募楽音が入力された場合、前記募集楽音と前記応募楽音とを合成録音する合成録音手段と、前記募集楽音を入力したユーザからの選択操作に応じて、前記応募楽音を入力したユーザのうち、前記報酬を付与するユーザを選択する選択手段として機能させ、前記投稿作成手段は、前記募集楽音と合成録音された前記応募楽音を、前記投稿情報又は前記募集楽音の少なくとも何れかと関連付ける。